(57)【特許請求の範囲】
【請求項１】
下面に吸気口を有し回転ブラシを内蔵する吸込具ケースと、この吸込具ケースに設けられ、前記吸気口に連通する吸込継ぎ手と、を備えた床掃除用の床ブラシにおいて、
前記回転ブラシの回転力を得るための第１外気吸込口と、
前記回転ブラシの回転力を得るための第２外気吸込口と、
前記第１外気吸込口から吸入された空気を上昇させてから下降させるように前記空気の流れる軌道を変化させることにより、前記回転ブラシに当たる前に被掃除面に吹き付ける第１空気流路と、
前記第２外気吸込口から吸入された空気を下降させるように前記空気の流れる軌道を変化させることにより、前記回転ブラシに当たる前に被掃除面に吹き付ける第２空気流路と、
を前記吸込具ケースに形成し、
前記吸込具ケースは上ケースと下ケースとを備え、
前記第１外気吸込口は、前記下ケースの後部の中央の位置に形成され、前記第２外気吸込口は、前記下ケースの後部の両側であって、前記第１外気吸込口よりもやや上側にずれた位置に形成された、ことを特徴とする床ブラシ。
【請求項２】
前記回転ブラシは、アレル物質を無害化する薬剤を含浸させた植毛を備えたことを特徴とする請求項１に記載の床ブラシ。
【請求項３】
前記吸込具ケースは、前記第２外気吸込口の開口面積を調節して前記回転ブラシの回転速度を調節する機構を備えたことを特徴とする請求項１または請求項２に記載の床ブラシ。
【請求項４】
請求項１〜３のいずれかに記載の床ブラシを備えたことを特徴とする電気掃除機。
【発明の詳細な説明】
【技術分野】
【０００１】
本発明は、電気掃除機用の床ブラシ並びにこの床ブラシを用いた電気掃除機に関し、とくに布団等の軟らかい被掃除面を掃除する床ブラシ並びに電気掃除機に関する。
【背景技術】
【０００２】
従来、布団等の柔らかい被掃除面を掃除する電気掃除機の吸込具として、吸込具の下面に形成された吸込口に臨む位置の吸込具内に、被掃除面に存在する塵埃および被掃除面下に埋没した塵埃を叩き出して掻き取る回転ブラシを回転自在に設け、吸込具の一側面の略中央に吸込口に連通する継手を設け、さらに吸込具ケースの上面に吸込具ケース内へ外気を取り込む開口部を形成し、下面の吸込口に、この吸込口を複数の吸込口に仕切る仕切壁を形成することで、布団等の柔らかい被掃除面が吸込口に吸い付くことを抑制するものが知られている（例えば、特許文献１参照）。
【先行技術文献】
【特許文献】
【０００３】
【特許文献１】特開２００５−１７７１２４号公報（図１、図２、段落[００２７]〜[００３１]）
【発明の概要】
【発明が解決しようとする課題】
【０００４】
上記特許文献１で示される従来の布団用吸込具においては、掃除に当たり吸い込み具が手操作により前後に移動する際に、吸い込み具先端あるいは吸い込み具後端と布団との接触等により布団から吸い込み具の周囲に舞い上がった塵埃を上面の開口部のみで吸い込むには限界があり、浮遊したままの塵埃が多く残り、掃除が済んだ後に浮遊塵が再び布団に舞い降りるので、塵埃の吸込み能力が損なわれてしまうという問題があった。
また、布団および外気に含まれるアレル物質が無害化されずに吸い込まれているので、掃除機本体側に無害化のフィルター等がないものについては、溜まった塵埃を捨てる際の埃とともに無害化されていないアレル物質が舞い上がり、それを人が吸い込んでしまう虞があった。
【０００５】
本発明は、上記のような課題を解決するためになされたものであり、その目的は塵埃の吸込み能力を損なわず、集塵ボックスに溜まった塵埃中のアレル物質が無害化される構造をもつ床ブラシ並びに電気掃除機を得ることにある。
【課題を解決するための手段】
【０００６】
本発明の床ブラシは、下面に吸気口を有し回転ブラシを内蔵する吸込具ケースと、この吸込具ケースに設けられ、前記吸気口に連通する吸込継ぎ手と、を備えた床掃除用の床ブラシにおいて、前記回転ブラシの回転力を得るための第１外気吸込口と、前記回転ブラシの回転力を得るための第２外気吸込口と、前記第１外気吸込口から吸入された空気を上昇させてから下降させるように前記空気の流れる軌道を変化させることにより、前記回転ブラシに当たる前に被掃除面に吹き付ける第１空気流路と、前記第２外気吸込口から吸入された空気を下降させるように前記空気の流れる軌道を変化させることにより、前記回転ブラシに当たる前に被掃除面に吹き付ける第２空気流路と、を前記吸込具ケースに形成し、前記吸込具ケースは上ケースと下ケースとを備え、前記第１外気吸込口は、前記下ケースの後部の中央の位置に形成され、前記第２外気吸込口は、前記下ケースの後部の両側であって、前記第１外気吸込口よりもやや上側にずれた位置に形成されたものである。
【発明の効果】
【０００７】
本発明の床ブラシは、下面に吸気口を有し回転ブラシを内蔵する吸込具ケースと、吸込具ケースに設けられ、吸気口に連通する吸込継ぎ手と、を備え、回転ブラシの回転力を得るための第１外気吸入口と、回転ブラシの回転力を得るための第２外気吸入口と、第１外気吸入口から吸入された空気を上昇させてから下降させるように空気の流れる軌道を変化させることにより、回転ブラシに当たる前に被掃除面に吹き付ける第１空気流路と、第２外気吸入口から吸入された空気を下降させるように空気の流れる軌道を変化させることにより、回転ブラシに当たる前に被掃除面に吹き付ける第２空気流路と、を吸込具ケースに形成し、前記吸込具ケースは上ケースと下ケースとを備え、前記第１外気吸込口は、前記下ケースの後部の、前記吸込継ぎ手の下方であって、その先端部を稼働可能に保持する領域の内、前記被掃除面に近い側である底面側から前記回転ブラシ方向に延設された部分と略隣接するように設けられ、前記第２外気吸込口は、前記下ケースの後部の前記第１外気吸込口の両側よりもやや上側にずれた位置に設けられているようにしたので、塵埃の吸込み能力を維持できるという効果を有する。
【図面の簡単な説明】
【０００８】
【図１】本発明の実施の形態における床ブラシを用いた電気掃除機の構成を示す斜視図である。
【図２】本発明の実施の形態における布団ブラシ本体１の構成を示す構成図である。
【図３】本発明の実施の形態における集塵ボックス１３の構成図である。
【図４】浮遊塵吸入口の空気吸入量を調節するためのヨロイ戸を示す図である。
【図５】集塵ボックスに設けられたシャッターの動作を示す図である。
【図６】本発明の実施の形態における格子部の構成図である。
【図７】格子と格子部本体との着脱状態を示す説明図である。
【図８】本発明の実施の形態における布団ブラシの要部縦断面図である。
【図９】本発明の実施の形態における布団ブラシの要部縦断面図である（空気の流れを含む）。
【図１０】本発明の実施の形態における布団ブラシの底面を示す底面図である。
【図１１】本発明の実施の形態における布団ブラシの背面図である。
【図１２】本発明の実施の形態における布団ブラシの背面図である（切り替えレバーを追加）。
【図１３】本発明の実施の形態における格子と装着されるティッシュペーパーの様子を示す模式図である。
【図１４】図１０におけるＡ−Ａ断面図である。
【発明を実施するための形態】
【０００９】
実施の形態１．
本実施の形態では、柔らかい床の一例として布団を例にして説明する。まず、構成について説明する。図１は、本発明の実施の形態における布団ブラシを用いた電気掃除機の構成を示す斜視図である。図１に示すように、電気掃除機は、布団ブラシ１と、この布団ブラシに接続される延長管２と、この延長管２に接続される手元操作部３と、この手元操作部とホースを介して接続される掃除機本体４とで構成される。
また、図２は、本発明の実施の形態における布団ブラシ１の構成を示す構成図であり、布団ブラシ１は、下ケース１１と、上ケース１２と、上ケースに着脱自在に設けられた集塵ボックス１３と、車輪１４と、延長管２との接続口で継ぎ手１５と、で構成されており、集塵ボックス１３の前方中央部には、凹部が設けられており、着脱の際の手掛け１３１として用いられる。この凹部の奥には浮遊塵を取り込むための浮遊塵吸入口１３２が形成されている。また、集塵ボックス１３の中央頂部には、集塵ボックス１３を上ケース１２に係合により固定するラッチ１３３が設けられている。
図３は、図２における集塵ボックス１３の構成図であり、図３（ａ）は集塵ボックスの分解斜視図、図３（ｂ）は側面断面図である。また、図４は浮遊塵吸入口の空気吸入量を調節するためのヨロイ戸を示す図であり、図４（ａ）は吸入口１３５に設けられているヨロイ戸１３６が閉状態、すなわち吸入口は全部塞がない場合を示している。また、図４（ｂ）はヨロイ戸が開状態、すなわち吸入口が全開である場合を示している。また、図４（ｃ）はヨロイ戸を示している。このヨロイ戸を手動で左右に移動させることで、浮遊塵吸入口との組合せにより開状態あるいは閉状態に切り替えて、浮遊塵吸入口の空気吸入量を調節することができる。
また、図５は集塵ボックスに設けられたシャッターの動作を示す図である。
また、図６は本発明の実施の形態における格子部の構成図であり、図７は格子と格子部本体との着脱状態を示す説明図である。
【００１０】
図３（ｂ）に示すように、集塵ボックス１３の前部には集塵ボックス１３を上ケース１２から取り外したときにゴミ漏れを防ぐシャッター２１が設けられている。また、集塵ボックス１３の後部には、浮遊塵を含む空気流が通過する格子部１６が設けられており、浮遊塵吸入口と格子部１６との間に浮遊塵からアレル物質を無害化する薬剤（例えばポリフェノール）を含浸したフィルター１３４がフィルタケース１３５に収容された状態で配設されている。格子部１６は、補強のために後部上方になるにつれて広がるフランジを両側面にもつ格子部本体１６１と、この格子部本体１６１に着脱自在に格納された格子１６２から構成されており、上部の係合部を外すことにより格子部本体１６１が下部の脚部を支点として後方に回動自在に設けられている。また、図１３に示すように格子部本体１６１の前部の周囲は、下部において集塵ボックス１３の下部後方に延設された板とシールリブ１３７によって、気密が保持され、下部以外の周囲はシールパッキンＡ１６３によって集塵ボックスとの気密が保持されている。また、格子部本体１６１の後部のフランジを含む周囲は、シールパッキンＢ１６４によって上ケース１２後方に設けられたシールリブ１３８と当接して気密を保持している。さらに集塵ボックス１３のシールリブ１３７とシールパッキンＡ１６３の間にはティッシュペーパー１３９を挟み込むことができる。この場合、格子部１６は、ティッシュペーパー１３９の補強部材として機能する。
【００１１】
図８は本発明の実施の形態における布団ブラシの要部縦断面図であり、集塵ボックス１３を装着した状態を示している。また、図９は図８において空気の流れを追加した図である。また、図１０は本発明の実施の形態における布団ブラシの底面を示す底面図であり、図中矢印は空気の流れを示す。また、図１１は、本発明の実施の形態における布団ブラシの背面図である。また、図１４は、図１０におけるＡ−Ａ断面図である。また、図９は図１０におけるＢ−Ｂ断面図となっている。図１０および図１１に示すように、下ケース１１１の後方には両側と中央にそれぞれ空気吸い込み用の開口部である後部吸気口１９と２０が形成されており、さらに底面の前方には空気吹き出し口１８が設けられている。さらに底面の前方には、下ケース開口部１１１が形成されており、下方から見ると下ケース開口部１１１に回転ブラシ１７が臨むように配設されている。また、図９において、後部吸気口２０と空気吹出口１８との間をそれぞれ傾斜をもって連通する吸込み空気流路２０１が形成されている。図１４においても、図９と同様に後部吸気口１９と空気吹出口１８との間をそれぞれ傾斜をもって連通する吸込み空気流路１９１が形成されている。また、回転ブラシ１７は、下ケース１１に回転自在に取付けられ、外気により回転するブラシであり、布団を叩いて布団表面および布団の内部より塵埃を掻き出すとともに塵埃に含まれるアレル物質と接触して無害化するように構成されている。回転ブラシ１７のブラシには予め、アレル物質を無害化する薬剤が塗り込んである。また、図１２は、図１０において、後部吸入口の開口面積を変化させる切り替えレバーを追加した図であり、図中２３示される部材が切り替えレバーである。図１２（ａ）は、切り替えレバー２３の操作によって下部後方の開口が全開の状態を示しており、図１２（ｂ）は、切り替えレバー２３の操作によって下部後方の開口が全閉の状態を示している。
【００１２】
次に、本実施の形態の動作を図１〜図１２を用いて説明する。
電気掃除機の手元操作部３を操作して電気掃除機を起動すると、掃除機本体４の吸引力により布団ブラシ１の下ケース１２の底面に布団が吸い付き、下ケース開口部１１１が塞がれる。すると、空気圧の差圧によって下ケース後部の両側および中央にそれぞれ形成された後部吸気口１９および２０より外気が吸込まれる。中央の後部吸気口２０から吸い込まれた外気は、図９に示すように、空気流路２０１に従い、一旦軽く上昇した後斜め前方下方へ流れ込み、布団面に接している空気吹出口１８に導かれる。従って、空気流路２０１を流れる外気は、回転ブラシ１７を通過する前に空気吹出口１８から被掃除面（布団）に吹き付けられ、布団面に当たり、布団の吸い付きを抑制する。また、両側の後部吸気口１９から吸い込まれた外気は、図１４に示すように空気流路１９１に従い、斜め前方下方へ流れ込み、布団面に接している空気吹出口１８に導かれる。従って、空気流路１９１を流れる外気は、回転ブラシ１７を通過する前に空気吹出口１８から被掃除面（布団）（両側）に吹き付けられ、布団面に当たり、布団の吸い付きを抑制する。この後、空気流は、下ケース下部の下ケース開口部１１１から吸い込まれ、合流して回転ブラシ１７に吹き当たり、回転ブラシ１７を回転させる。そして、被掃除面から舞い上がる塵埃の中に含まれるアレル物質は回転ブラシ１７のアレル無害化用植毛１７１に接触することで、無害化される。なお、掃除の際に回転ブラシ１７の回転方向と布団ブラシ１の移動方向とが逆になるときにアレル無害化用植毛１７１と布団との接触回数が増加し、アレル物質の無害化が促進される。アレル物質が無害化された空気流は、その後、回転ブラシの下方→回転ブラシの前方→回転ブラシの上方→回転ブラシの後方の順に吹き流れた後、格子部１６へと吹き流れて行く。
【００１３】
また、掃除に際して布団ブラシ１を前後に移動する場合、布団ブラシ１の前方への移動に伴い、布団ブラシ１の前面と布団との接触により主に布団ブラシ１の後方の布団から上方へ舞い上がった浮遊塵は、下ケース後方の両側および中央に形成された後部吸気口より外気と共に吸込まれ、空気流路１９１→空気吹出口１８→被掃除面（布団）→回転ブラシ１７（ここで、アレル物質は植毛に接触して無害化される）→集塵ボックス１３→格子部１６の順に掃除機本体４の吸引力によって吸引されて移動する。一方、布団ブラシ１の前面と布団との接触により主に布団ブラシ１の前方の布団から上方へ舞い上がった浮遊塵は、集塵ボックス１３の前方凹部に設けられた浮遊塵吸気口１３２から吸入され、フィルター１３４を介して格子部１６に繋がる別の空気流路に沿って掃除機本体４の吸引力によって吸引されて移動する。そして、空気流がフィルター１３４を通過する際に、浮遊塵の中に含まれるアレル物質は、アレル物質無害化薬剤を含浸されたフィルター１３４に接触することで、無害化される。このように、ブラシ１の前後の摺動により、布団より舞い上がった浮遊塵も、前後の吸い口より効率良く吸い込むことができる。
【００１４】
そして、浮遊塵吸入口１３２から流れ込みフィルター１３４を介して格子部１６へ流れる空気流は、格子部１６の出口で、回転ブラシ１７経由の空気流と合流し、継ぎ手１５、延長管２、手元操作部３の順に流れて掃除機本体４に吸込まれる。
普段は、格子部１６にティッシュペーパー１３９を装着せずに格子部１６をそのまま使うことで、集塵ボックス１３に運ばれた塵埃および無害化されたアレル物質は、格子部１６をそのまま通過して継ぎ手１５経由で最終的に掃除機本体４へ吸込まれる。このため、集塵ボックス１３には塵埃は殆ど堆積しない。
一方、ティッシュペーパー１３９を格子部本体１６１とシールパッキンＡ１６３との間に挟み込んで格子部１６にティッシュペーパー１３９を装着することで、本来掃除機本体４に吸込まれる塵埃を集塵ボックス１３で堰きとめることができる。このようにティッシュペーパー１３９を堰きとめ用と使用することで、粗ゴミを集塵ボックス内に溜め込むことができ、ティッシュペーパー１３９を通過した細塵は掃除機本体４内の集塵ボックスに溜まることになる。その結果、掃除機本体の一次集塵室として利用することが可能となり、掃除機本体のゴミ捨て頻度を少なくすることができる。
また、集塵ボックスを透明にすることにより、集塵ボックス内のゴミの量を目視で確認することができるので、掃除効果の確認が容易となる。
【００１５】
さらに、集塵ボックス内のゴミを捨てる場合や集塵ボックス内の格子の洗浄を行ないたい場合には、集塵ボックス１３のラッチ１３３を手で押して上ケース１２との係合を取り外した後、手掛け１３１に手を掛けて上方へ持ち上げることにより、集塵ボックス１３を上ケース１２から分離して外部に引き出すことができる。集塵ボックス１３を上ケースから取り外すと、図３に示すようにシャッター２１が集塵ボックス１３の空気流路の開口部を自動的に塞ぐので、ゴミが外部に洩れるのを防ぐことができる。そして格子部１６を下部を支点として後ろに倒して集塵ボックスの上部が下面になるように傾けるだけで集塵ボックス内の塵埃は、ティッシュペーパー１３９と共に重力により簡単に塵埃を落下させて捨てることができる。この後、必要ならば格子部１６の洗浄を行なうことが可能である。
なお、シャッターの動作について簡単に説明する。集塵ボックス１３を上ケースから取り外す場合には図５（ｃ）に示すようにシャッター２１が集塵ボックス１３の天井内面とシャッターの上面との間に設けられたスプリングの付勢力により集塵ボックス１３の空気流の開口部を自動的に塞ぐので、ゴミが外部に洩れるのを防ぐことができる。なお、スプリングの位置は上記に限る必要はなく、集塵ボックス１３の空気流の開口部を自動的に塞ぐ構造であればどのようなものでも良い。また、集塵ボックスを上ケースに収納するときには、図５（ｄ）のように上ケースに設けられた屋根状部材２２によってシャッター２１がスプリングの力に勝って強く押し上げられて自動的に開き安定位置となるので、回転ブラシ１７を収容する上ケース内の空気流路が確保され、後方から下ケース開口部１１１を介して吸い込まれた空気はシャッター２１に遮られずにスムースに後方の延長管２側へ吸引される。
【００１６】
次に、格子部１６について説明する。格子部１６の格子１６２の目の大きさは、格子部１６にティッシュペーパー１３９を装着せずに格子部１６をそのまま使う場合には、通過する空気流の塵埃を堰きとめることがなく、ティッシュペーパー１３９を格子部１６に装着して使用する場合には、ティッシュペーパー１３９が破れない程度に補強する補強部材として機能する程度に設計されている。
具体的には、格子面の開口面積ティッシュペーパー１３９を装着した場合には、空気が通りにくくなる（詰まった状態に近くなる）ため、掃除機の負荷が大きくなる。そのため、格子部の開口面積を５０００ｍｍ2以上確保することが望ましい。
また、一つ一つの格子の穴の大きさは、大き過ぎると、ティッシュペーパー１３９が吸引機で破れてしまい、小さ過ぎると、穴の開口率が低くなり、開口に対する部品の大きさが大きくなってしまう。そのため、格子穴の大きさは３ｍｍ＊３ｍｍより大きく１０ｍｍ＊１０ｍｍ以下が望ましい。本実施の形態では、ほぼ６ｍｍ＊６ｍｍの角穴、格子の太さは１．２ｍｍ程度とし、開口率を６９％程度としている。
なお、５０００ｍｍ2の開口面積を有する格子面を作ろうとするときには、５０００／０．６９＝７２４７（ｍｍ2）の面積が必要であることが容易に分かる。
【００１７】
また、ティッシュペーパー１３９を格子部１７に取り付ける場合には図１３に示すように、まず、集塵ボックス１３を取り外した後、格子部１６を下部を支点として後方に倒した後、ティッシュペーパー１３９を折り畳んでシールパッキンＡ１６３を含む格子部本体１６１の上に載せる。この場合、シールリブ１３７とシールパッキンＡ１６３の間にティッシュペーパー１３９を挟み込めるようにその一端が回転支点近傍まで広げて格子部ベースに取り付けておく。次に、格子部１６を反時計方向に回転して上方に起こす。これにより、元の位置に戻され、集塵ボックス１３のシールリブ１３７とシールパッキンＡ１６３の間にティッシュペーパー１３９が挟み込まれる。
また、格子１６２は、図７に示すように格子部本体１６１から着脱自在に構成されているので、格子１６２が不要な場合、あるいは洗浄時など、集塵ボックスに塵埃を溜めたくない場合には、格子１６２を手動で格子部本体１６１から取り外すことができる。これにより、空気流は何ら障害なく格子部１６を通過し、塵埃は集塵ボックス１３でなく、掃除機本体４の集塵ボックスに溜め込まれるので、通常のふとん用掃除機として利用でき、機械に不慣れな利用者には不要な煩しさから開放される。
【００１８】
また、布団によって固いものから柔らかいものまで色々ある。そこで、布団の種類や固さに応じて下ケースへの吸い付きの程度が異なる。そこで、図１２に示すように切り替えレバー２３を手動で左右に切り替え操作することで、後部吸気口１９および２０の開口面積を変化させることが可能である。これにより、適正な布団への吸い付き、適正な回転ブラシの回転と真空度を得ることができ、集塵効率を維持することが可能になる。
また、図１２に示すように集塵ボックス１３の浮遊塵吸入口１３２に設けられたヨロイ戸１３６を手動で左右に切り替え操作することで、浮遊塵吸入口１３２の開口面積を変化させることが可能である。これにより、できるだけ少ない電力で浮遊塵の吸引効率を最大限に良くすることが可能である。即ち、空気がきれいな冬には開口面積を大きくして吸引力を強くし、花粉が多い春や細菌の繁殖し易い夏には開口面積を小さく絞ることで、吸引力を高めてアレル物質をより多く吸引するように調節する。
なお、この例では切り替えレバー２３やヨロイ戸１３６を２段階に切り替えているが、これに限る必要はなく、３段以上に切り替えても良い。また、段階的切り替えでなく、連続切り替えにしても良い。
【００１９】
また、図１０および図１１に示すように、布団ブラシ１の底面後方両端部と中央部に空気吸い込み用の開口部２０と２１がそれぞれ形成されており、さらに前方底面には空気吹き出し口１９が設けられている。さらに前方には、下ケース開口部１１１が形成されており、下から見ると下ケース開口部１１１に回転ブラシが臨んで配設されている。
この場合、後部吸気口の開口面積については、以下の通りである。回転ブラシを回転させるためには、吸気口の面積が広すぎても狭すぎてもいけない。
現在、回転数２５００ｒｐｍ以上の確保と真空度１００ｍｍＨ2Ｏ以上確保のため３つの後部吸気口の開口面積の和は５５０ｍｍ2程度としている。
【００２０】
なお、本実施の形態では、外気を後部吸気口を介して後方から吸入するようにしたが、後方に限定する必要はなく、周囲のいずれの方向から吸気しても良い。例えば、側面から吸気しても良い。この場合もほぼ同様の効果を奏する。
【００２１】
また、本実施の形態では、布団ブラシについて説明したが、布団ブラシに限るものではなく、電気掃除機の床ブラシ一般にも適用可能であることはいうまでもない。
【符号の説明】
【００２２】
１  布団ブラシ、２  延長パイプ、３  手元操作部、４  掃除機本体、１１  下ケース、１２  上ケース、１３  集塵ボックス、１４  車輪、１５  継ぎ手、１６  格子部、１７  回転ブラシ、１８  空気吹き出し口、１９  後部吸気口（両側）、２０  後部吸気口（中央）、２１  シャッター、２２  屋根状部材、２３  切替えレバー、１１１  下ケース開口部、１３１  手掛け、１３２  浮遊塵吸入口、１３３ラッチ、１３４  フィルター、１３５  フィルタケース、１３６  ヨロイ戸、１３７  シールリブ（下ケース）、１３８  シールリブ（上ケース）、１３９  ティッシュペーパー、１６１  格子部本体、１６２  格子、１６３  シールパッキンＡ、１６４  シールパッキンＢ、１７１  植毛、１９１  吸込み空気流路、２０１  吸込み空気流路。
【図１】
0005323168.tif 000002
【図２】
0005323168.tif 000003
【図３】
0005323168.tif 000004
【図４】
0005323168.tif 000005
【図５】
0005323168.tif 000006
【図６】
0005323168.tif 000007
【図７】
0005323168.tif 000008
【図８】
0005323168.tif 000009
【図９】
0005323168.tif 000010
【図１０】
0005323168.tif 000011
【図１１】
0005323168.tif 000012
【図１２】
0005323168.tif 000013
【図１３】
0005323168.tif 000014
【図１４】
0005323168.tif 000015